(57)【要約】      （修正有）【課題】二つのメモリモジュールを挿入可能であり、溶接端子と溶接パッドとの溶接の不良率を減少することができるコネクタを提供する。【解決手段】その頂部が円弧面である少なくとも一つの支持具２１と、支持具の円弧面に対応し下方に向く円弧形状スライド溝１１１１を有し、重力により円弧形状スライド溝が円弧面に掛けられる絶縁本体１と、支持具の円弧形状スライド溝を支持する箇所に応じて、絶縁本体の両側にそれぞれ嵌合され、その下端にある溶接端子３１ａ，３１ｂ，４１ａ，４１ｂが絶縁本体の両側の下端まで露出する二つの第１端子列組３ａ，３ｂとを備える。【選択図】図３
0003154374.tif 000002
【実用新案登録請求の範囲】
【請求項１】
その頂部が円弧面である少なくとも一つの支持具と、
前記支持具の円弧面に対応し下方に向く円弧形状スライド溝を有し、重力により前記円弧形状スライド溝が前記円弧面に掛けられる絶縁本体と、
前記支持具の前記円弧形状スライド溝を支持する箇所に応じて、前記絶縁本体の両側にそれぞれ嵌合され、その下端にある溶接端子が前記絶縁本体の両側の下端まで露出する二つの第１端子列組と、
を備えることを特徴とするコネクタ。
【請求項２】
更に、台座を含み、前記絶縁本体には、互いに対応する円弧形状スライド溝が二つ設けられ、前記台座の両端には、前記円弧形状スライド溝に応じて支持具がそれぞれ設けられることを特徴とする、請求項１に記載のコネクタ。
【請求項３】
前記台座は、筐体形状を呈し、前記二つの支持体は、前記台座の筐体形状を呈する本体の内側に設けられ、前記絶縁本体は、前記台座の筐体形状を呈する本体に収容されることを特徴とする、請求項２に記載のコネクタ。
【請求項４】
前記台座の底部には、下方に伸びる定位リブが少なくとも一つ設けられ、前記定位リブがコネクタの下方にある基板の定位穴に挿入され、これにより、前記基板の溶接パッドにこれらの前記溶接端子を溶接しているときに、前記台座が仮に固定されることを特徴とする、請求項２に記載のコネクタ。
【請求項５】
前記二つの第１端子列組の下端にある溶接端子は、前記台座の両側の下端まで露出することを特徴とする、請求項２に記載のコネクタ。
【請求項６】
前記二つの第１端子列組の下端にある溶接端子は、前記台座の両側の下端の内側まで露出し、更に、前記二つの第１端子列組に応じて二つの第２端子列組が設けられ、前記二つの第２端子列組は、それぞれ前記台座の外側に嵌合され、前記第２端子列組の下端にある溶接端子は、前記台座の両側の下端の外側まで露出することを特徴とする、請求項５に記載のコネクタ。
【請求項７】
二つのメモリモジュールを挿入可能にするために、互いに対称する、第１端子列組と、第２端子列組と、が設けられることを特徴とする、請求項６に記載のコネクタ。
【考案の詳細な説明】
【技術分野】
【０００１】
本考案は、コネクタに関し、特に、二つのメモリモジュールを挿入可能であり、溶接端子と溶接パッドとの溶接の不良率を減少することができるコネクタに関するものである。
【背景技術】
【０００２】
情報工学技術の進展により、メモリの容量が徐々に増加し、メモリの拡充の利便性を向上するために、二列メモリモジュールコネクタが開発され、このようなコネクタによれば、二つのメモリモジュールを挿入して同時に使用することができる。
【０００３】
従来の二列メモリモジュールＰＡ１００は、図１に示すように、その正面には、第１端子列組ＰＡ１ａと、第２端子列組ＰＡ２ｂと、が設けられ、その背面には、第１端子列組ＰＡ１ｂと、第２端子列組ＰＡ２ａと、が設けられる。第１端子列組ＰＡ１ａ、ＰＡ１ｂと、第２端子列組ＰＡ２ａ、ＰＡ２ｂとは、それぞれセットになり、それぞれメモリ挿入側ＰＡ３、ＰＡ４に設けられる。二つのメモリ２００は、それぞれメモリ挿入側ＰＡ３、ＰＡ４から二列メモリモジュールＰＡ１００に挿入することができる。
【０００４】
次に、図２を参照する。図２は従来の二列メモリモジュールコネクタの断面図である。第１端子列組ＰＡ１ａ、ＰＡ１ｂの溶接端子ＰＡ１１ａ、ＰＡ１１ｂと、第２端子列組ＰＡ２ａ、ＰＡ２ｂの溶接端子ＰＡ２１ａ、ＰＡ２１ｂとは、二列メモリモジュールＰＡ１００の下端から露出し、これらの溶接端子ＰＡ１１ａ、ＰＡ１１ｂ、ＰＡ２１ａ、ＰＡ２１ｂが基板３００の溶接パッドに溶接される。
【０００５】
しかし、溶接端子ＰＡ１１ａ、ＰＡ１１ｂ、ＰＡ２１ａ、ＰＡ２１ｂは、その端部の高さのバラツキ及び組付の公差により、その端部を同じ平面に定位することが困難である。溶接端子ＰＡ１１ａ、ＰＡ１１ｂ、ＰＡ２１ａ、ＰＡ２１ｂの端部の高さのバラツキが大きい場合には、半田が少ないので、溶接端子ＰＡ１１ａ、ＰＡ１１ｂ、ＰＡ２１ａ、ＰＡ２１ｂと溶接パッドとの溶接の不良率が増加する。
【考案の概要】
【考案が解決しようとする課題】
【０００６】
本考案の目的は、二つのメモリモジュールを挿入可能であり、溶接端子と溶接パッドとの溶接の不良率を減少することができるコネクタを提供することにある。
【課題を解決するための手段】
【０００７】
本考案の請求項１に記載のコネクタによると、その頂部が円弧面である少なくとも一つの支持具と、
支持具の円弧面に対応し下方に向く円弧形状スライド溝を有し、重力により円弧形状スライド溝が円弧面に掛けられる絶縁本体と、
支持具の円弧形状スライド溝を支持する箇所に応じて、絶縁本体の両側にそれぞれ嵌合され、その下端にある溶接端子が絶縁本体の両側の下端まで露出する二つの第１端子列組と、
を備えることを特徴とするコネクタである。
【０００８】
本考案の請求項２に記載のコネクタによると、更に、台座を含み、絶縁本体には、互いに対応する円弧形状スライド溝が二つ設けられ、台座の両端には、円弧形状スライド溝に応じて支持具がそれぞれ設けられる。
【０００９】
本考案の請求項３に記載のコネクタによると、台座は、筐体形状を呈し、二つの支持体は、台座の筐体形状を呈する本体の内側に設けられ、絶縁本体は、台座の筐体形状を呈する本体に収容される。
【００１０】
本考案の請求項４に記載のコネクタによると、台座の底部には、下方に伸びる定位リブが少なくとも一つ設けられ、定位リブがコネクタの下方にある基板の定位穴に挿入され、これにより、基板の溶接パッドにこれらの溶接端子を溶接しているときに、台座が仮に固定される。
【００１１】
本考案の請求項５に記載のコネクタによると、二つの第１端子列組の下端にある溶接端子は、台座の両側の下端まで露出する。
【００１２】
本考案の請求項６に記載のコネクタによると、二つの第１端子列組の下端にある溶接端子は、台座の両側の下端の内側まで露出し、更に、二つの第１端子列組に応じて二つの第２端子列組が設けられ、二つの第２端子列組は、それぞれ台座の外側に嵌合され、第２端子列組の下端にある溶接端子は、台座の両側の下端の外側まで露出する。
【００１３】
本考案の請求項７に記載のコネクタによると、二つのメモリモジュールを挿入可能にするために、互いに対称する、第１端子列組と、第２端子列組と、が設けられる。
【考案の効果】
【００１４】
本考案のコネクタによれば、二つのメモリモジュールを挿入可能であり、溶接端子と溶接パッドとの溶接の不良率を減少することができ、スペースを節約することができ、構造の強度が増加するという効果を有する。
【図面の簡単な説明】
【００１５】
【図１】従来の二列メモリモジュールコネクタの斜視図である。
【図２】従来の二列メモリモジュールコネクタの断面図である。
【図３】本考案の一実施形態の分解斜視図である。
【図４】本考案の一実施形態の組合状態の斜視図である。
【図５】本考案の一実施形態の組合状態の断面図である。
【図６】本考案の一実施形態の使用状態を示す模式図である。
【考案を実施するための形態】
【００１６】
以下、本考案の実施の形態を図面に基づいて説明する。
本考案のコネクタ１００は、二つのメモリモジュールを挿入可能な二列メモリモジュールコネクタに適用することができ、そうすると、従来のものよりもスペースを節約することができ、構造の強度が増加する。
【００１７】
図３を参照する。図３は本考案の一実施形態の分解斜視図である。本考案のコネクタ１００は、絶縁本体１と、第１端子列組３ａ、３ｂと、第２端子列組４ａ、４ｂと、台座２と、を含む。第１端子列組３ａ、３ｂと第２端子列組４ａ、４ｂとは、それぞれ合せて二セットのコネクタ（例えば第１端子列組３ａが第２端子列組４ａと合せ、第１端子列組３ｂが第２端子列組４ｂと合せ）になり、このように構成される二セットのコネクタには、メモリモジュール２００を挿入することができる。
【００１８】
絶縁本体１は、絶縁材料で作製され、プレート形状を呈する構成から下方に伸びる接合凸縁１１を有し、このように、絶縁本体１がＴ字形な断面を有する。接合凸縁１１の両端には、方向Ｉと垂直する接合面１１１がそれぞれ設けられ、各接合面１１１には、円弧形状スライド溝１１１１が設けられる。
【００１９】
接合凸縁１１は接合面１１１の他の両側に対向し、接合凸縁１１には、第１端子列組３ａ、３ｂと嵌合する挿入溝が複数設けられる。絶縁本体１に台座２を組付けた後、第１端子列組３ａ、３ｂの溶接端子３１ａ、３１ｂが台座２の両側の下端の内側まで露出する。
【００２０】
更に、台座２の底部には、下方に伸びる定位リブ２２が少なくとも一つ設けられ、定位リブ２２がコネクタ１００の下方にある基板３００の定位穴４００に挿入され、これにより、基板３００にコネクタ１００を溶接しているときに、台座２が仮に固定される。本実施形態では、台座２は、筐体形状を呈し、二つの接合面１１１にそれぞれ対応する二つの支持体２１は、台座２の筐体形状を呈する本体の内側に設けられ、接合凸縁１１が筐体形状を呈する本体に収容される。各支持具２１の頂部は、円弧形状スライド溝１１１１に対応する円弧面２１１である。
【００２１】
図４を参照する。図４は本考案の一実施形態の組合状態の斜視図である。本考案のコネクタ１００は、図４に示すように、その正面には、絶縁本体１と、第２端子列組４ａと、台座２と、が設けられ、その背面には、第２端子列組４ｂが設けられる。絶縁本体１が台座２の上で置かれ、第２端子列組４ａ、４ｂがそれぞれ台座２の外部の両側に嵌合され、溶接端子４１ａ、４１ｂが台座２の両側の下端の外側まで露出する。。
【００２２】
図３を参照する。図３は本考案の一実施形態の分解斜視図である。本考案のコネクタ１００の絶縁本体１は、支持具２１の円弧面２１１に対応し下方に向く円弧形状スライド溝１１１１を有し、重力により円弧形状スライド溝１１１１が円弧面２１１に掛けられる。このとき、円弧形状スライド溝１１１１の円弧面２１１と接触する箇所が支点になり、前記支点により絶縁本体１が支持され、第１端子列組３ａ、３ｂの溶接端子３１ａ、３１ｂは、誤差によって高さが不揃いになることが回避でき、ひいては第２端子列組４ａ、４ｂの溶接端子４１ａ、４１ｂとを、同じ平面に位置し、又は殆ど同じ平面に位置することができる。
【００２３】
そうすると、基板３００の溶接パッドに溶接端子３１ａ、３１ｂと溶接端子４１ａ、４１ｂとを溶接するときには、溶接の不良率を大幅に減少することができる。
【００２４】
図５を参照する。図５は本考案の一実施形態の組合状態の断面図である。接合凸縁１１の接合面１１１に対向する両側には、第１端子列組３ａ、３ｂがそれぞれ嵌合され、第１端子列組３ａ、３ｂの溶接端子３１ａ、３１ｂは、台座２の両側の下端の内側まで露出する。
第２端子列組４ａ、４ｂは、それぞれ台座２の外部の両側に嵌合され、その溶接端子４１ａ、４１ｂが台座２の両側の下端の外側まで露出する。
【００２５】
更に、台座２の底部には、下方に伸びる定位リブ２２が二つ設けられ、定位リブ２２がコネクタ１００の下方にある基板３００の定位穴４００に挿入され、これにより、基板３００に溶接端子３１ａ、３１ｂと溶接端子４１ａ、４１ｂとを溶接しているときに、台座２を仮に固定することができる。
【００２６】
図６を参照する。図６は本考案の一実施形態の使用状態を示す模式図である。本考案のコネクタは、図６に示すように、二列メモリモジュールコネクタに適用され、半田付けにより基板３００に固定され、その両側にメモリモジュールを挿入することができる。従来のものに比べると、本考案のコネクタ１００は、重力によるバランスにより、両側にある溶接端子を、同じ平面に位置し、又は殆ど同じ平面に位置することができ、そうすると、二つのメモリモジュールを挿入可能であり、溶接端子と溶接パッドとの溶接の不良率を減少することができ、スペースを節約することができ、構造の強度が増加する。
【００２７】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【産業上の利用可能性】
【００２８】
本考案は、コネクタに適用することができる。
【符号の説明】
【００２９】
１  絶縁本体
２  台座
３ａ  第１端子列組
３ｂ  第１端子列組
４ａ  第２端子列組
４ｂ  第２端子列組
１１  接合凸縁
２１  支持具
２２  定位リブ
３１ａ  溶接端子
３１ｂ  溶接端子
４１ａ  溶接端子
４１ｂ  溶接端子
１００  コネクタ
１１１  接合面
２００  メモリモジュール
２１１  円弧面
３００  基板
４００  定位穴
１１１１  円弧形状スライド溝
Ｉ  方向
ＰＡ１ａ  第１端子列組
ＰＡ１ｂ  第１端子列組
ＰＡ２ａ  第２端子列組
ＰＡ２ｂ  第２端子列組
ＰＡ３  メモリ挿入側
ＰＡ４  メモリ挿入側
ＰＡ１１ａ  溶接端子
ＰＡ１１ｂ  溶接端子
ＰＡ２１ａ  溶接端子
ＰＡ２１ｂ  溶接端子
ＰＡ１００  二列メモリモジュール
【図１】
0003154374.tif 000003
【図２】
0003154374.tif 000004
【図３】
0003154374.tif 000005
【図４】
0003154374.tif 000006
【図５】
0003154374.tif 000007
【図６】
0003154374.tif 000008